(57)【特許請求の範囲】
【請求項１】
リール本体のフレーム間に、
ハンドルの回転に連動して回転し、外周にカム溝が形成されたトラバースカム軸と、
該トラバースカム軸を覆ってフレーム間に取り付く案内筒と、
該案内筒上に装着され、該案内筒に設けた長孔を挿通して前記カム溝に係合爪が係合し、トラバースカム軸の回転に伴い前記案内筒上を軸方向へ往復動する釣糸案内体とからなるレベルワインド機構を備えた魚釣用リールに於て、
前記案内筒の両端側外周にフレームに対する移動規制部を形成し、
該案内筒の一端側外周にフレームに対する回り止め部を形成し、
フレームに取り付き固定される抜止め部材に、前記案内筒の一端側が係合する係合孔を設け、
前記移動規制部と回り止め部と抜止め部材を介して、前記案内筒をフレームに軸方向移動不能に回り止め固定すると共に、
前記案内筒の両端側内周に軸受支持部を形成し、両軸受支持部に装着する軸受を、該軸受支持部を介して軸方向内方へ移動不能に規制したことを特徴とする魚釣用リール。
【請求項２】
リール本体のフレーム間に、
ハンドルの回転に連動して回転し、外周にカム溝が形成されたトラバースカム軸と、
該トラバースカム軸を覆ってフレーム間に取り付く案内筒と、
該案内筒上に装着され、該案内筒に設けた長孔を挿通して前記カム溝に係合爪が係合し、トラバースカム軸の回転に伴い前記案内筒上を軸方向へ往復動する釣糸案内体とからなるレベルワインド機構を備えた魚釣用リールに於て、
前記案内筒の両端側外周にフレームに対する移動規制部を形成し、
該案内筒の一端側外周にフレームに対する回り止め部を形成し、
フレームに取り付き固定される抜止め部材に、前記案内筒の一端側が係合する係合孔を設け、
前記移動規制部と回り止め部と抜止め部材を介して、前記案内筒をフレームに軸方向移動不能に回り止め固定すると共に、
前記案内筒の一方の内周に前記トラバースカム軸を支持する軸受部を一体形成し、
案内筒の他方の内周に軸受支持部を形成し、該軸受支持部に装着する軸受を、該軸受支持部を介して軸方向内方へ移動不能に規制したことを特徴とする魚釣用リール。
【請求項３】
前記トラバースカム軸の両側に、前記軸受または軸受部の軸方向外方に当接する抜止め部材を装着したことを特徴とする請求項１または請求項２に記載の魚釣用リール。
【発明の詳細な説明】
【技術分野】
【０００１】
本発明は魚釣用リールに係り、詳しくはスプールに釣糸を均一に巻回させるレベルワインド機構を備えた魚釣用リールに関する。
【背景技術】
【０００２】
従来周知のように、キャスティングリールやトローリングリール等の魚釣用リールや、スプール駆動モータを備えた電動リールには、特許文献１または特許文献２に開示されるように、スプールに釣糸を均一に巻回させるレベルワインド機構がスプール前方のフレーム間に装着されている。
【０００３】
このレベルワインド機構は、ハンドルの回転に連動回転し、外周に往復カム溝が形成されたトラバースカム軸と、該トラバースカム軸を覆ってフレーム間に取り付く案内筒と、該案内筒上に装着され、該案内筒に沿って軸方向へ往復動する釣糸案内体（摺動体）とからなり、該釣糸案内体は、案内筒の長手方向に設けた長孔を挿通してトラバースカム軸のカム溝に係合する係合爪と、竿先側からの釣糸をスプールに案内する釣糸案内部（ラインガイド孔）を備えている。そして、トラバースカム軸は、その端部に取り付く伝達歯車を介して、手動巻取り駆動機構やスプール駆動モータによる自動巻取り駆動機構等に連結されている。
【０００４】
そして、特許文献１，２に開示されるように、従来、この種の魚釣用リールは、リール本体へのレベルワインド機構の組み込みに当たり、案内筒内にトラバースカム軸を挿入し、該トラバースカム軸を案内筒内の軸受に回転自在に支持した状態で案内筒をフレームの一方から他方のフレームに挿入した後、トラバースカム軸の挿入側先端に止め輪やワッシャ等の係止部材を装着してこれをフレームに抜け止めすることで、案内筒をフレーム間に軸方向規制して固定した構造となっている。そして、既述したようにトラバースカム軸は、案内筒内の軸受によって回転自在に支持されている。
【特許文献１】実開昭５９−１６３７７号公報
【特許文献２】特開２００５−１９２４９１号公報
【発明の開示】
【発明が解決しようとする課題】
【０００５】
このように、従来のレベルワインド機構は、トラバースカム軸の挿入側先端に装着したワッシャ等で案内筒を軸方向規制してリール本体のフレーム間に案内筒を固定した構造上、案内筒の軸方向のガタ付きを抑えようとワッシャ等で調節すると、トラバースカム軸の回転が重くなり、逆にトラバースカム軸の回転性を重視して軸方向にガタを設けると、フレームと案内筒との間にガタ付きが発生してしまう不具合があった。
【０００６】
また、既述したように、案内筒内にトラバースカム軸を挿入，支持し、その挿入側先端にワッシャ等の係止部材を装着することにより、案内筒をリール本体のフレーム間に取り付ける構造上、組み込み順に制約があり、組み込み作業性が悪いのが実情であった。
【０００７】
本発明は斯かる実情に鑑み案出されたもので、トラバースカム軸の回転性に支障を来すことなく案内筒のガタ付きを防止し、併せてレベルワインド機構の組み込み作業性の向上を図った魚釣用リールを提供することを目的とする。
【課題を解決するための手段】
【０００８】
斯かる目的を達成するため、請求項１に係る発明は、リール本体のフレーム間に、ハンドルの回転に連動して回転し、外周にカム溝が形成されたトラバースカム軸と、該トラバースカム軸を覆ってフレーム間に取り付く案内筒と、該案内筒上に装着され、該案内筒に設けた長孔を挿通して前記カム溝に係合爪が係合し、トラバースカム軸の回転に伴い前記案内筒上を軸方向へ往復動する釣糸案内体とからなるレベルワインド機構を備えた魚釣用リールに於て、前記案内筒の両端側外周にフレームに対する移動規制部を形成し、該案内筒の一端側外周にフレームに対する回り止め部を形成し、フレームに取り付き固定される抜止め部材に、前記案内筒の一端側が係合する係合孔を設け、前記移動規制部と回り止め部と抜止め部材を介して、前記案内筒をフレームに軸方向移動不能に回り止め固定すると共に、前記案内筒の両端側内周に軸受支持部を形成し、両軸受支持部に装着する軸受を、該軸受支持部を介して軸方向内方へ移動不能に規制したことを特徴とする。
【０００９】
そして、請求項２に係る発明は、リール本体のフレーム間に、ハンドルの回転に連動して回転し、外周にカム溝が形成されたトラバースカム軸と、該トラバースカム軸を覆ってフレーム間に取り付く案内筒と、該案内筒上に装着され、該案内筒に設けた長孔を挿通して前記カム溝に係合爪が係合し、トラバースカム軸の回転に伴い前記案内筒上を軸方向へ往復動する釣糸案内体とからなるレベルワインド機構を備えた魚釣用リールに於て、前記案内筒の両端側外周にフレームに対する移動規制部を形成し、該案内筒の一端側外周にフレームに対する回り止め部を形成し、フレームに取り付き固定される抜止め部材に、前記案内筒の一端側が係合する係合孔を設け、前記移動規制部と回り止め部と抜止め部材を介して、前記案内筒をフレームに軸方向移動不能に回り止め固定すると共に、前記案内筒の一方の内周に前記トラバースカム軸を支持する軸受部を一体形成し、案内筒の他方の内周に軸受支持部を形成し、該軸受支持部に装着する軸受を、該軸受支持部を介して軸方向内方へ移動不能に規制したことを特徴とする。
【００１０】
更に、請求項３に係る発明は、請求項１または請求項２に記載の魚釣用リールに於て、前記トラバースカム軸の両側に、前記軸受または軸受部の軸方向外方に当接する抜止め部材を装着したことを特徴とする。
【発明の効果】
【００１１】
請求項１に及び請求項２に係る発明によれば、従来のレベルワインド機構の取付構造と異なり、トラバースカム軸に関係なく案内筒をフレーム間に軸方向移動不能に回り止め規制して固定する構造としたので、トラバースカム軸の回転性に支障を来すことなく案内筒及びトラバースカム軸を含めたレベルワインド機構全体の軸方向のガタ付きを確実に規制でき、魚釣り操作性が向上する。
而も、トラバースカム軸と関係なく案内筒をフレーム間に取り付けることができるため、従来に比しレベルワインド機構の組み込み作業性が向上することとなった。
【００１３】
そして、請求項３に係る発明によれば、従来に比し案内筒及びトラバースカム軸を含めたレベルワインド機構全体の軸方向のガタ付きをより確実に規制でき、精密感が更に向上する利点を有する。
【発明を実施するための最良の形態】
【００１４】
以下、本発明の実施形態を図面に基づいて詳細に説明する。
【００１５】
図１乃至図５は請求項１及び請求項３に係る魚釣用リールの一実施形態を示し、図１に於て、１，３は左右のフレーム５，７に取り付く左右の側板で、両側板１，３とフレーム５，７によって魚釣用リール９のリール本体１１が構成されており、左側の側板１は、フレーム５に螺着される環状リング１３によって該フレーム５に着脱自在に取り付き、右側の側板３は、フレーム７に螺着されるネジ１５によって該フレーム７に着脱自在に取り付けられている。そして、右側のフレーム７と側板３間に、ハンドル１７が螺着されたハンドル軸１９が軸受２１，２３を介して回転可能に支持されている。
【００１６】
また、左右の側板１，３間には、側板１に装着した軸受２５とフレーム７に装着した軸受２７によってスプール軸２９が回転可能に支持されており、該スプール軸２９にスプール３１が一体的に取り付けられている。そして、側板３側に突出したスプール軸２９に、径方向外方に突出したピンからなるクラッチ部３３が形成され、該クラッチ部３３に係脱可能なピニオンギヤ３５が、フレーム７と側板３に装着した軸受３７，３９を介してスプール軸２９に回転可能且つその軸方向へ往復動可能に取り付けられている。
【００１７】
そして、図１に示すように前記ハンドル軸１９には、前記ピニオンギヤ３５に噛合するドライブギヤ４１が周知のドラグ装置４３によって回転可能に摩擦結合されており、ピニオンギヤ３５の端部に形成したクラッチ係合部４５が、周知のクラッチレバーＫの下方への押圧操作で軸方向に移動されて前記クラッチ部３３に係脱することにより、スプール３１が釣糸巻き取り状態（クラッチＯＮ）と釣糸放出状態（クラッチＯＦＦ）に切り換えられるようになっている。
【００１８】
また、ハンドル軸１９の挿入先端側にはクラッチ復帰ギヤ４７が取り付けられており、クラッチＯＦＦ状態でハンドル１７を釣糸巻取り方向へ回転操作すると、該クラッチ復帰ギヤ４７に係止していた図示しない係止部材やクラッチ作動部材４９によってクラッチレバーがクラッチＯＮの位置に復帰すると共に、図示しないコイルスプリングのバネ力でクラッチプレート５１がピニオンギヤ３５をクラッチ部３３にクラッチ結合させて、スプール３１が釣糸巻き取り状態（クラッチＯＮ）に復帰するようになっている。
【００１９】
更に、前記ハンドル軸１９には転がり式一方向クラッチ５３が装着されており、該転がり式一方向クラッチ５３の楔作用によって、ハンドル軸１９の巻き取り方向の正回転を許容し、逆回転を防止する逆転防止装置を構成している。また、図１中、５５はハンドル軸１９に装着したドラグレバーで、該ドラグレバー５５の操作でドラグ装置４３の摩擦結合力（ドラグ力）が調節できるようになっている。
【００２０】
そして、スプール３１前方のフレーム５，７間（側板１，３間）に、スプール３１に釣糸を均一に巻回させるレベルワインド機構５７が装着されている。
【００２１】
図２乃至図５はレベルワインド機構５７の詳細を示し、図２中、５９はその外周に右ネジ及び左ネジからなる螺旋状のカム溝６１が形成されたトラバースカム軸、６３は該トラバースカム軸５９と中心軸を同じくしてこれを覆う案内筒で、案内筒６３は前記スプール軸１９に沿ってフレーム５，７間に架設されている。そして、該案内筒６３上に、釣糸案内体６５が案内筒６３に沿ってスプール１３の軸方向へ往復動可能に取り付けられている。
【００２２】
以下、これらを説明すると、図２及び図４に示すように案内筒６３のフレーム５側の端部外周には、小径段差部からなる外周が円形の移動規制部６７が形成され、その内周に、大径段差部からなる軸受支持部６９が形成されている。
【００２３】
一方、図２及び図４，図５に示すように案内筒６３のフレーム７側の端部外周には、外周が非円形の小径段差部からなる移動規制部兼回り止め部７１が形成され、その内周に、大径段差部からなる軸受支持部７３が形成されている。
【００２４】
そして、フレーム５には、前記移動規制部６７の外径と同一径からなる円形状の案内筒取付孔７５が形成され、フレーム７には、移動規制部６７，７１を除く案内筒６３の外周径と同一径からなる円形状の案内筒挿入孔７７が、前記案内筒取付孔７５と中心軸を同じくして設けられている。そして、前記案内筒挿入孔７７側から案内筒取付孔７５側へ案内筒６３の移動規制部６７側を挿入してこれを案内筒取付孔７５に挿入すると、小径段差部からなる移動規制部６７の外周段部が案内筒取付孔７５の周縁部に係止して、案内筒６３の同方向への移動が規制されるようになっている。
【００２５】
而して、斯様に移動規制部６７を案内筒取付孔７５に挿入して案内筒６３の移動を規制したとき、図４に示すようにフレーム７側の移動規制部兼回り止め部７１が、前記案内筒挿入孔７７から僅かに外方へ突出するようになっている。
【００２６】
このため、図２乃至図４に示すようにフレーム７の底面には、前記移動規制部兼回り止め部７１が係合可能な回り止め係合孔７９を有する抜止めプレート（抜止め部材）８１がネジ８３で固定できるようになっており、前記回り止め係合孔７９に前記移動規制部兼回り止め部７１を係合させて該抜止めプレート（抜止め部材）８１をフレーム７にネジ止めすると、該抜止めプレート８１と移動規制部兼回り止め部７１、そして、既述したフレーム５側の移動規制部６７とで案内筒６３の軸方向規制と回り止めが図られて、案内筒６３が左右のフレーム５，７間に固着されるようになっている。
【００２７】
そして、図１及び図２に示すように前記案内筒６３内に、前記トラバースカム軸５９が該案内筒６３と軸芯を同じくして挿着されている。
【００２８】
図２及び図３に示すようにトラバースカム軸５９のフレーム７側には、カム溝６１が形成されているトラバースカム軸５９の外周径より小径な小径部８５が突出形成され、この小径部８５に軸受８７が嵌合されている。そして、小径部８５の突出端側に形成された非円形状の嵌合部８９に、筒部９１が一体形成された伝達歯車９３が回り止め嵌合されており、前記軸受８７の内輪側部に筒部（抜止め部材）９１の端面が当接して、軸受８７の抜け止めが図られている。そして、図３に示すように前記伝達歯車９３の抜け止めを図る止め輪９５が小径部８５の突出端に止着されて、トラバースカム軸５９と軸受８７，伝達歯車９３が一体化されている。
【００２９】
而して、前記トラバースカム軸５９はフレーム７側から案内筒６３に挿入され、斯様に軸受８７，伝達歯車９３が一体化されたトラバースカム軸５９を案内筒６３に挿入すると、図２に示すように軸受８７が、大径段差部からなる前記軸受支持部７３の内周段部に当接して軸方向内方への移動が規制され、このとき、図２に示すようにトラバースカム軸５９の他端側に設けた小径部９７が、案内筒６３から外方へ若干突出するようになっている。そして、該小径部９７に軸受９９を嵌合させ、トラバースカム軸５９の挿入側先端に止め輪（抜止め部材）１０１を止着してこれを前記軸受９９の内輪側部に当接させると、該軸受９９の抜け止めが図られると共に、前記軸受支持部６９によって軸受９９の軸方向内方への移動が規制されるようになっている。
【００３０】
一方、前記案内筒６３上に取り付く釣糸案内体６５は、図４の如く案内筒６３の長手方向に沿って設けた長孔１０３を挿通して前記カム溝６１に係合する図示しない係合爪を備えると共に、竿先側からの釣糸をスプール３１に案内する図示しない釣糸案内部（ラインガイド孔）が形成されている。
【００３１】
そして、図１に示すように前記ハンドル軸１９に、前記伝達歯車９３に噛合する連動ギヤ１０５が、ハンドル軸１９を回転中心にドライブギヤ１１と一体回転可能に係合しており、ハンドル操作で釣糸をスプール３１に巻回する際に、その回転力が連動ギヤ１０５から伝達歯車９３に伝達されてトラバースカム軸５９が一方向に回転し、この結果、トラバースカム軸５９のカム溝６１に係合する係合爪を備えた釣糸案内体６５が、案内筒６３に沿ってスプール３１の軸方向へ往復動するようになっている。
【００３２】
本実施形態はこのように構成されており、リール本体１１にレベルワインド機構５７を組み込むには、先ず、フレーム５，７間に案内筒６３を取り付ける。
【００３３】
即ち、既述したように、案内筒６３の移動規制部６７側を前記案内筒挿入孔７７に挿入して該移動規制部６７を案内筒取付孔７５に挿入すると、移動規制部６７の外周段部が案内筒取付孔７５の周縁部に係止して案内筒６３の同方向への移動が規制される。
【００３４】
次いで、抜止めプレート８１の回り止め係合孔７９に案内筒６３の移動規制部兼回り止め部７１を係合させて該抜止めプレート８１をフレーム７にネジ止めすると、該抜止めプレート８１と移動規制部兼回り止め部７１，移動規制部６７とで案内筒６３の軸方向規制と回り止めが図られて、案内筒６３が左右のフレーム５，７間に固着される。
【００３５】
そして、図３の如く軸受８７，伝達歯車９３が一体化されたトラバースカム軸５９を案内筒６３に挿入して軸受８７を前記軸受支持部７３の内周段部に当接させた後、トラバースカム軸５９の他端側の小径部９７に軸受９９を嵌合させて、トラバースカム軸５９の挿入側先端に止め輪１０１を止着してこれを前記軸受９９の内輪側部に当接させると、該軸受９９の抜け止めが図られると共に、前記軸受支持部６９，７３によって軸受９９，８７の軸方向内方への移動が規制されることとなる。
【００３６】
尚、前記釣糸案内体６５は、案内筒６３の移動規制部６７側をフレーム７の案内筒挿入孔７７に挿入した後、移動規制部６７を案内筒取付孔７５に挿入する前に、案内筒６３に嵌挿（係合爪を装着していない状態）する。そして、トラバースカム軸５９の取付後に、係合爪を釣糸案内体６５に装着する。
【００３７】
このように、レベルワインド機構５７はリール本体１１に組み付けられており、従来と同様、ハンドル操作で釣糸をスプール３１に巻回する際に、その回転力が連動ギヤ１０５から伝達歯車９３に伝達されてトラバースカム軸５９が一方向に回転するため、トラバースカム軸５９のカム溝６１に係合する係合爪を備えた釣糸案内体６５が案内筒６３に沿ってスプール３１の軸方向へ往復動し、スプール３１に釣糸が均一に巻回される。
【００３８】
このように本実施形態は、従来のレベルワインド機構の取付構造と異なり、トラバースカム軸５９に関係なく案内筒６３をフレーム５，７間に軸方向移動不能に回り止め規制して固定する構造としたので、トラバースカム軸５９の回転性に支障を来すことなく案内筒６３の不要な軸方向移動によるガタ付きを抑えることが可能となって、魚釣り操作性が向上する。
【００３９】
而も、既述したように本実施形態は、抜止めプレート８１と移動規制部兼回り止め部７１，移動規制部６７とで案内筒６３の軸方向規制と回り止めを図り、また、軸受支持部６９，７３によって軸受９９，８７の軸方向内方への移動を規制し、更にまた、軸受８７の内輪側部に伝達歯車９３の筒部９１を当接させると共に、止め輪１０１を軸受９９の内輪側部に当接させて軸受９９，８７の軸方向外方への移動を規制してこれらの抜け止めを図った構造上、従来に比し、案内筒６３及びトラバースカム軸５９を含めたレベルワインド機構５７全体の軸方向のガタ付きを確実に規制でき、精密感が向上する利点を有する。
【００４０】
そして、トラバースカム軸５９と関係なく案内筒６３をフレーム５，７間に取り付けることができるため、従来に比しレベルワインド機構５７の組み込み作業性が向上することとなった。
【００４１】
図６乃至図８は請求項２及び請求項３の一実施形態に係る魚釣用リールの左右のフレーム５-1，７とこれに取り付く案内筒６３-1の拡大断面図を示す。先ず、本実施形態は、案内筒６３-1のフレーム５-1側の端部外周に、外周が非円形の小径段差部からなる移動規制部兼回り止め部１０７を形成し、その内周にトラバースカム軸５９の小径部９７を回転可能に支持する軸受部１０９を内方へ一体に突設すると共に、フレーム５-1側に、前記移動規制部兼回り止め部１０７が回り止め係合する非円形の案内筒取付孔１１１を設け、該案内筒取付孔１１１に移動規制部兼回り止め部１０７を係合させて、案内筒６３-1の軸方向規制と回り止めを図っている。
【００４２】
一方、案内筒６３-1のフレーム７側の端部底面に、外周が円形の小径段差部からなる移動規制部１１３を形成し、その内周に、大径段差部からなる軸受支持部７３を形成したもので、フレーム７には、移動規制部１０７，１１３を除く案内筒６３-1の外周径と同一径からなる円形状の案内筒挿入孔７７が、前記案内筒取付孔１１１と中心軸を同じくして設けている。
【００４３】
そして、図６及び図７に示すようにフレーム７の底面には、前記移動規制部１１３が挿入可能な円形の挿入孔１１５が形成された抜止めプレート（抜止め部材）８１-1がネジ８３で固定されており、前記挿入孔１１５に移動規制部１１３を挿入して抜止めプレート８１-1をフレーム７にネジ止めすると、該抜止めプレート８１-1と移動規制部１１３、そして、既述したフレーム５-1側の移動規制部兼回り止め部１０７と案内筒取付孔１１１とで案内筒６３-1の軸方向規制と回り止めが図られて、案内筒６３-1が左右のフレーム５-1，７間に固着されるようになっている。
【００４４】
そして、図２の実施形態と同様、前記案内筒６３-1内に、前記トラバースカム軸５９が該案内筒６３-1と軸芯を同じくして挿着され、トラバースカム軸５９の挿入側先端に止着した止め輪１０１が軸受部１１１の外側側部に当接している。
【００４５】
尚、その他の構成は図１の実施形態と同様であるので、同一のものには同一符号を付してそれらの説明は省略する。
【００４６】
本実施形態はこのように構成されており、図１の実施形態と同様、本実施形態もリール本体１１-1にレベルワインド機構を組み込む場合、先ず、フレーム５-1，７間に案内筒６３-1を取り付ける。
【００４７】
即ち、案内筒６３-1の移動規制部兼回り止め部１０７側をフレーム７の案内筒挿入孔７７に挿入して、該移動規制部兼回り止め部１０７をフレーム５-1の案内筒取付孔１１１に係合すると、移動規制部兼回り止め部１０７が案内筒取付孔１１１の周縁部に係止して案内筒６３-1の同方向への移動が規制される。
【００４８】
次いで、抜止めプレート８１-1の挿入孔１１５に案内筒６３-1の移動規制部１１３を挿入して該抜止めプレート８１-1をフレーム７にネジ止めすると、該抜止めプレート８１-1と移動規制部１１３、そして、フレーム５-1側の移動規制部兼回り止め部１０７と案内筒取付孔１１１とで案内筒６３-1の軸方向規制と回り止めが図られて、案内筒６３-1が左右のフレーム５-1，７間に固着される。
【００４９】
そして、前記実施形態と同様、図３の如く軸受８７，伝達歯車９３が一体化されたトラバースカム軸５９を案内筒６３-1に挿入した後、トラバースカム軸５９の挿入側先端に止め輪１０１を止着してこれを前記軸受部１０９の側部に当接させると、トラバースカム軸５９の抜け止めが図られると共に、前記軸受支持部７３によって軸受８７の軸方向内方への移動が規制されることとなる。
【００５０】
このように本実施形態も、トラバースカム軸５９に関係なく案内筒６３-1をフレーム５-1，７間に軸方向移動不能に回り止め規制して固定する構造としたので、トラバースカム軸５９の回転性に支障を来すことなく案内筒６３-1の不要な軸方向移動によるガタ付きを抑えることが可能となって、魚釣り操作性が向上する。
【００５１】
而も、既述したように本実施形態も、案内筒取付孔１１１と移動規制部兼回り止め部１０７，移動規制部１１３と抜止めプレート８１-1で案内筒６３-1の軸方向規制と回り止めを図り、また、軸受支持部７３によって軸受８７の軸方向内方への移動を規制し、更に、軸受８７の内輪側部に伝達歯車９３の筒部９１を当接させると共に、止め輪１０１を軸受部１０９の側部に当接させてトラバースカム軸５９の抜け止めを図った構造上、従来に比し、案内筒６３-1及びトラバースカム軸５９を含めたレベルワインド機構全体の軸方向のガタ付きを確実に規制でき、精密感が向上する利点を有する。
【００５２】
そして、トラバースカム軸５９と関係なく案内筒６３-1をフレーム５-1，７間に取り付けることができるため、従来に比しレベルワインド機構の組み込み作業性が向上することとなった。
【図面の簡単な説明】
【００５３】
【図１】請求項１及び請求項３の一実施形態に係る魚釣用リールの断面図である。
【図２】レベルワインド機構の拡大断面図である。
【図３】トラバースカム軸の正面図である。
【図４】左右のフレームとこれに取り付く案内筒の拡大断面図である。
【図５】図４のＡ方向矢視図である。
【図６】請求項２及び請求項３の一実施形態に係る魚釣用リールの左右のフレームとこれに取り付く案内筒の拡大断面図である。
【図７】図４のＣ方向矢視図である。
【図８】図４のＢ方向矢視図である。
【符号の説明】
【００５４】
１，３  側板
５，５-1，７  フレーム
９  魚釣用リール
１１，１１-1  リール本体
１７  ハンドル
１９  ハンドル軸
２９  スプール軸
３１  スプール
４１  ドライブギヤ
５７  レベルワインド機構
５９  トラバースカム軸
６１  カム溝
６３，６３-1  案内筒
６５  釣糸案内体
６７，１１３  移動規制部
６９，７３  軸受支持部
７１，１０７  移動規制部兼回り止め部
７５，１１１  案内筒取付孔
７７  案内筒挿入孔
７９  回り止め係合孔
８１  抜止めプレート
８５，９７  小径部
８７，９９  軸受
８９  嵌合部
９１  筒部
９３  伝達歯車
１０１  止め輪
１０３  長孔
１０５  連動ギヤ
１０９  軸受部
１１５  挿入孔
【図１】
0004932649.tif 000002
【図２】
0004932649.tif 000003
【図３】
0004932649.tif 000004
【図４】
0004932649.tif 000005
【図５】
0004932649.tif 000006
【図６】
0004932649.tif 000007
【図７】
0004932649.tif 000008
【図８】
0004932649.tif 000009